(57)【要約】【課題】天吊り設置した場合にも、エアフィルター交換時のフィルターカバーの操作性を向上できるプロジェクターを提供する。【解決手段】プロジェクター１は、外装筐体２とエアフィルター５とダクト（吸気側ダクト９）とフィルターカバー６とを備えたプロジェクター１であって、フィルターカバー６は、エアフィルター５を保護する保護位置と、エアフィルター５を交換する交換位置との間で回動可能とする軸部６２を備え、外装筐体２は、軸部６２を受ける軸受部２７を備え、フィルターカバー６は、第１突起部６５１を有して形成される第１係合突起部６５を備え、吸気側ダクト９は、第１突起部６５１と係合する第１受部９３１を有して形成される第１係合受部９３を備え、フィルターカバー６が交換位置に回動した際、外部から操作されることで、第１突起部６５１と第１受部９３１とが係合する。【選択図】図６
2014066782.tif 000002
【特許請求の範囲】
【請求項１】
吸気孔が形成された外装筐体と、前記吸気孔を介して導入された空気に含まれる塵埃を捕捉するエアフィルターと、当該エアフィルターを介して導入された空気を前記外装筐体内部に流動するダクトと、前記外装筐体に取り付けられ前記エアフィルターを保護するフィルターカバーと、を備えたプロジェクターであって、
前記フィルターカバーおよび前記外装筐体のいずれか一方の部材は、前記エアフィルターを保護する保護位置と、前記エアフィルターを交換する交換位置との間で回動可能とする軸部を備え、
前記フィルターカバーおよび前記外装筐体のいずれか他方の部材は、前記軸部を受ける軸受部を備え、
前記フィルターカバーは、第１の突起部を有して形成される第１の係合突起部、および前記第１突起部と係合する第１の受部を有して形成される第１の係合受部のいずれか一方を備え、
前記ダクトは、前記第１係合突起部および前記第１係合受部のいずれか他方を備え、
前記フィルターカバーが前記交換位置に回動した際、外部から操作されることで、前記第１突起部と前記第１受部とが係合することを特徴とするプロジェクター。
【請求項２】
吸気孔が形成された外装筐体と、前記吸気孔を介して導入された空気に含まれる塵埃を捕捉するエアフィルターと、前記外装筐体に取り付けられ前記エアフィルターを保護するフィルターカバーと、を備えたプロジェクターであって、
前記フィルターカバーおよび前記外装筐体のいずれか一方の部材は、前記エアフィルターを保護する保護位置と、前記エアフィルターを交換する交換位置との間で回動可能とする軸部を備え、
前記フィルターカバーおよび前記外装筐体のいずれか他方の部材は、前記軸部を受ける軸受部を備え、
前記フィルターカバーは、第１の突起部を有して形成される第１の係合突起部、および前記第１突起部と係合する第１の受部を有して形成される第１の係合受部のいずれか一方を備え、
前記外装筐体は、前記第１係合突起部および前記第１係合受部のいずれか他方を備え、
前記フィルターカバーが前記交換位置に回動した際、外部から操作されることで、前記第１突起部と前記第１受部とが係合することを特徴とするプロジェクター。
【請求項３】
請求項１または請求項２に記載のプロジェクターであって、
前記第１突起部と前記第１受部とは、前記軸部の回動軸近傍に相対して設置されていることを特徴とするプロジェクター。
【請求項４】
請求項３に記載のプロジェクターであって、
前記軸部の前記回動軸は水平方向に設定されていることを特徴とするプロジェクター。
【請求項５】
請求項３または請求項４に記載のプロジェクターであって、
前記回動軸は前記外装筐体が設置される設置面側に設置されていることを特徴とするプロジェクター。
【請求項６】
請求項１〜請求項５のいずれか一項に記載のプロジェクターであって、
前記フィルターカバーは、
第２の突起部を有して形成される第２の係合突起部を備え、
前記外装筐体には、
前記第２突起部と係合する第２の受部を有して形成される第２の係合受部を有し、外部から操作されることで、前記第２受部が前記第２突起部に係合する係合位置、および非係合位置に移動する操作部と、
前記操作部を前記係合位置に向けて付勢する付勢部材と、が設けられていることを特徴とするプロジェクター。
【請求項７】
請求項６に記載のプロジェクターであって、
前記操作部が前記非係合位置に移動した際に前記フィルターカバーを押圧し、前記フィルターカバーを前記保護位置から移動させる押圧部を備えていることを特徴とするプロジェクター。
【請求項８】
請求項７に記載のプロジェクターであって、
前記押圧部は、前記操作部、前記外装筐体、および前記フィルターカバーのいずれかに設置されていることを特徴とするプロジェクター。
【請求項９】
請求項７または請求項８に記載のプロジェクターであって、
前記押圧部は、突起、コイルバネ、および板バネのいずれかで形成されていることを特徴とするプロジェクター。
【発明の詳細な説明】
【技術分野】
【０００１】
本発明は、プロジェクターに関する。
【背景技術】
【０００２】
従来、プロジェクターは、外装筐体内部の発熱する冷却対象（光源装置や光変調装置）を冷却する場合、外装筐体に形成される吸気孔を介して、外装筐体外部の空気を導入し、導入した空気を冷却対象に送風することで冷却を行っている。このようなプロジェクターは、吸気孔が形成される外装筐体や、吸気孔を介して導入された空気に含まれる塵埃を捕捉するエアフィルターや、外装筐体に取り付けられてエアフィルターを保護するフィルターカバー等を備えている（例えば、特許文献１参照）。
【０００３】
特許文献１に記載のプロジェクターでは、外装筐体に対して保護位置（エアフィルターを保護する位置）および交換位置（エアフィルターを交換する位置）に回動自在に軸支されたフィルターカバーを備えていることが開示されている。これにより、エアフィルターを交換する際、外装筐体からフィルターカバーを着脱する必要がなく、フィルターカバーを回動させるだけでよいため、エアフィルターの交換時の操作性を向上できるとしている。また、操作レバー（操作部）を備えており、フィルターカバーを保護位置から交換位置に回動させる際には、操作レバーを操作して係合を解除し、フィルターカバーを手で掴みながら、フィルターカバーを回動させることができ、フィルターカバーの回動操作を容易に行えるとしている。
【先行技術文献】
【特許文献】
【０００４】
【特許文献１】特開２０１０−１２２２８０号公報
【発明の概要】
【発明が解決しようとする課題】
【０００５】
しかし、プロジェクターの上下を逆転させて設置する天吊り設置の状態で、エアフィルターを交換する場合、特許文献１に記載のプロジェクターでは、フィルターカバーを交換位置まで回動させても、重力により、元の位置に戻り、エアフィルターの前側を塞ぐため、一方の手で常にフィルターカバーを交換位置に保持しながら、他方の手でエアフィルターを交換する必要があった。これにより、プロジェクターを天吊り設置した場合、エアフィルターの交換時の操作性に課題があった。
従って、天吊り設置した場合にも、エアフィルター交換時のフィルターカバーの操作性を向上できるプロジェクターが要望されていた。
【課題を解決するための手段】
【０００６】
本発明は、上述した課題の少なくとも一部を解決するためになされたものであり、以下の形態または適用例として実現することが可能である。
【０００７】
［適用例１］本適用例に係るプロジェクターは、吸気孔が形成された外装筐体と、吸気孔を介して導入された空気に含まれる塵埃を捕捉するエアフィルターと、エアフィルターを介して導入された空気を外装筐体内部に流動するダクトと、外装筐体に取り付けられエアフィルターを保護するフィルターカバーと、を備えたプロジェクターであって、（ａ）フィルターカバーおよび外装筐体のいずれか一方の部材は、エアフィルターを保護する保護位置と、エアフィルターを交換する交換位置との間で回動可能とする軸部を備え、（ｂ）フィルターカバーおよび外装筐体のいずれか他方の部材は、軸部を受ける軸受部を備え、（ｃ）フィルターカバーは、第１の突起部を有して形成される第１の係合突起部、および第１突起部と係合する第１の受部を有して形成される第１の係合受部のいずれか一方を備え、（ｄ）ダクトは、第１係合突起部および第１係合受部のいずれか他方を備え、（ｅ）フィルターカバーが交換位置に回動した際、外部から操作されることで、第１突起部と第１受部とが係合することを特徴とする。
【０００８】
このようなプロジェクターによれば、フィルターカバーは、外装筐体に対して保護位置から交換位置まで軸部を中心に回動させることができ、また、フィルターカバーが交換位置に回動した際、外部から操作されることで、フィルターカバーは、ダクトに対して、第１突起部と第１受部とが係合することで回動が規制される。これにより、フィルターカバーを交換位置で保持させることができる。そのため、プロジェクターを天吊り設置した場合、エアフィルターを交換する際に、フィルターカバーを支える必要がなくなる。そして、交換位置にフィルターカバーを保持させることと、エアフィルターを交換することを、片手で行うことができる。従って、プロジェクターを天吊り設置した場合にも、エアフィルター交換時のフィルターカバーの操作性を向上させることができる。また、フィルターカバーを交換位置で保持させることと、エアフィルターの交換が片手で行えるため、交換作業の安全性を向上させることができる。
【０００９】
［適用例２］本適用例に係るプロジェクターは、吸気孔が形成された外装筐体と、吸気孔を介して導入された空気に含まれる塵埃を捕捉するエアフィルターと、外装筐体に取り付けられエアフィルターを保護するフィルターカバーと、を備えたプロジェクターであって、（ａ）フィルターカバーおよび外装筐体のいずれか一方の部材は、エアフィルターを保護する保護位置と、エアフィルターを交換する交換位置との間で回動可能とする軸部を備え、（ｂ）フィルターカバーおよび外装筐体のいずれか他方の部材は、軸部を受ける軸受部を備え、（ｃ）フィルターカバーは、第１の突起部を有して形成される第１の係合突起部、および第１突起部と係合する第１の受部を有して形成される第１の係合受部のいずれか一方を備え、（ｄ）外装筐体は、第１係合突起部および第１係合受部のいずれか他方を備え、（ｅ）フィルターカバーが交換位置に回動した際、外部から操作されることで、第１突起部と第１受部とが係合することを特徴とする。
【００１０】
このようなプロジェクターによれば、フィルターカバーは、外装筐体に対して保護位置から交換位置まで軸部を中心に回動させることができ、また、フィルターカバーが交換位置に回動した際、外部から操作されることで、フィルターカバーは、外装筐体に対して、第１突起部と第１受部とが係合することで回動が規制される。これにより、フィルターカバーを交換位置で保持させることができる。そのため、プロジェクターを天吊り設置した場合、エアフィルターを交換する際に、フィルターカバーを支える必要がなくなる。そして、交換位置にフィルターカバーを保持させることと、エアフィルターを交換することを、片手で行うことができる。従って、プロジェクターを天吊り設置した場合にも、エアフィルター交換時のフィルターカバーの操作性を向上させることができる。また、フィルターカバーを交換位置で保持させることと、エアフィルターの交換が片手で行えるため、交換作業の安全性を向上させることができる。
【００１１】
［適用例３］上記適用例に係るプロジェクターにおいて、第１突起部と第１受部とは、軸部の回動軸近傍に相対して設置されていることが好ましい。
【００１２】
このようなプロジェクターによれば、第１突起部（第１係合突起部）と第１受部（第１係合受部）とを軸部の回動軸近傍に相対して設置することにより、弱い力で確実に係合させることができる。また、第１突起部と第１受部とをコンパクトに構成することができる。
【００１３】
［適用例４］上記適用例に係るプロジェクターにおいて、軸部の回動軸は水平方向に設定されていることが好ましい。
【００１４】
このようなプロジェクターによれば、例えば、外装筐体の側面にエアフィルターを設置し、エアフィルターの面積を拡大する場合、水平方向に長くして拡大する必要がある。そして、エアフィルターを保護するフィルターカバーが、回動軸を水平方向に設定された場合、回動軸を鉛直方向に設定された場合に比較して、エアフィルター交換時にフィルターカバーを開けるために必要となる空間を少なくすることができる。従って、プロジェクターを設置する際、フィルターカバーの横に障害物があっても近づけて設置することができるため、プロジェクターの設置の自由度を拡大することができる。また、プロジェクターの薄型化を図ることができる。
【００１５】
［適用例５］上記適用例に係るプロジェクターにおいて、回動軸は外装筐体が設置される設置面側に設置されていることが好ましい。
【００１６】
このようなプロジェクターによれば、机上設置や天吊り設置の状態において、エアフィルターを交換する際、利用者からは交換するエアフィルターが視認できるため、保持されるフィルターカバーが交換する際の障害とはならずにエアフィルターを交換することができる。
【００１７】
［適用例６］上記適用例に係るプロジェクターにおいて、フィルターカバーは、（ａ）第２の突起部を有して形成される第２の係合突起部を備え、外装筐体には、（ｂ）第２突起部と係合する第２の受部を有して形成される第２の係合受部を有し、外部から操作されることで、第２受部が第２突起部に係合する係合位置、および非係合位置に移動する操作部と、（ｃ）操作部を係合位置に向けて付勢する付勢部材と、が設置されていることが好ましい。
【００１８】
このようなプロジェクターによれば、第２係合受部と第２係合突起部とが係合することにより、フィルターカバーの回動を規制することができる。また、付勢部材により、操作部を係合位置に向けて付勢することで、フィルターカバーは、係合位置で確実に係合された状態となる。そのため、フィルターカバーは、エアフィルターを保護する保護位置で確実に固定される。また、外装筐体に操作部と付勢部材とが設置されているので、フィルターカバーに設置されている場合に比較して、フィルターカバーを軽量化することができ、軽い力でフィルターカバーを操作でき、操作部の操作性を向上させることができる。
【００１９】
［適用例７］上記適用例に係るプロジェクターにおいて、操作部が非係合位置に移動した際にフィルターカバーを押圧し、フィルターカバーを保護位置から移動させる押圧部を備えていることが好ましい。
【００２０】
このようなプロジェクターによれば、押圧部を備えることで、操作部を非係合位置に移動させた場合、押圧部の動作により、フィルターカバーが押圧されて、フィルターカバーが保護位置から移動する。これにより、外装筐体とフィルターカバーとの間に隙間ができるため、フィルターカバーを把持し易くなり、回動させ易くなる。
【００２１】
［適用例８］上記適用例に係るプロジェクターにおいて、押圧部は、操作部、外装筐体、およびフィルターカバーのいずれかに設置されていることが好ましい。
【００２２】
このようなプロジェクターによれば、押圧部を別の部材に設置する必要がないため、組み立てコストや部品コストを低減させることができる。
【００２３】
［適用例９］上記適用例に係るプロジェクターにおいて、押圧部は、突起、コイルバネ、および板バネのいずれかで形成されていることが好ましい。
【００２４】
このようなプロジェクターによれば、押圧部が、突起、コイルバネ、および板バネのいずれかで形成されるため、容易に押圧部を構成することができる。そのため、組み立てコストや部品コストも低減させることができる。
【図面の簡単な説明】
【００２５】
【図１】第１実施形態に係るプロジェクターを前面上側から見た斜視図。
【図２】プロジェクターの内部構造を模式的に示す図。
【図３】外装筐体の右面を拡大した斜視図。
【図４】図３の状態からエアフィルターを取り外した状態を示す斜視図。
【図５】エアフィルターの構成を示す図であり、（ａ）はエアフィルターを表側（右側）から見た斜視図、（ｂ）はエアフィルターを裏側（左側）から見た斜視図。
【図６】フィルターカバーの構成を示す図であり、（ａ）はフィルターカバーを裏側（左側）の左上方向から見た斜視図、（ｂ）はフィルターカバーを裏側の左方向から見た平面図。
【図７】フィルターカバーの軸部と第１係合突起部との周囲を示す拡大斜視図。
【図８】操作部の構成を示す図であり、（ａ）は操作部を表側（右側）から見た斜視図、（ｂ）は操作部を上下逆転して裏側（左側）から見た斜視図。
【図９】操作部の外装筐体（上ケース）への組み立てを示す組立図。
【図１０】外装筐体（上ケース）へ操作部を組み込んだ状態を示す斜視図。
【図１１】操作部が係合位置に移動した状態を示す平断面図。
【図１２】操作部が係合位置から非係合位置に移動する途中の状態を示す平断面図。
【図１３】操作部が非係合位置に移動した後、付勢部材により係合位置に戻った状態を示す平断面図。
【図１４】第１係合突起部と第１係合受部との係合が解除されている状態を示す平断面図。
【図１５】第１係合突起部と第１係合受部とが係合されている状態を示す平断面図。
【図１６】プロジェクターを天吊り設置した状態を示す斜視図。
【図１７】第２実施形態に係る押圧部を示す平断面図であり、（ａ）は押圧部の係合位置での状態を示す平断面図、（ｂ）は押圧部が係合位置から非係合位置に移動する途中の状態を示す平断面図、（ｃ）は押圧部が付勢部材により係合位置に戻った状態を示す平断面図。
【発明を実施するための形態】
【００２６】
以下、実施形態を図面に基づいて説明する。
（第１実施形態）
【００２７】
〔プロジェクターの外観構成〕
図１は、第１実施形態に係るプロジェクター１を前面上側から見た斜視図である。図１を参照してプロジェクター１の外観構成を説明する。なお、以降の説明では、プロジェクター１が机上面に設置（机上設置）されている状態を基準として説明する。
【００２８】
なお、以下で記載する「上」、「下」、「左」、「右」は、図１における図面視において、上下左右に相当するものである。また、以下で記載する「前」、「後」は、プロジェクター１において投写側（投写レンズ３７が配置された側）を前とし、その反対側を後とする。
【００２９】
プロジェクター１は、光源から射出された光束を画像情報に応じて変調して画像光を形成し、形成した画像光をスクリーン（図示略）上に拡大投写するものである。プロジェクター１は、図１または図２に示すように、外装を構成する外装筐体２と、光学ユニット３（図２）と、冷却装置４（図２）とを備えて大略構成されている。
【００３０】
外装筐体２は、図１に示すように、略直方体形状を有し、光学ユニット３および冷却装置４を内部に収納する。なお、外装筐体２の各面を、上面２ａ、下面２ｂ、左面２ｃ、右面２ｄ、前面２ｅ、後面２ｆとする）外装筐体２は、図１に示すように、上ケース２Ａと下ケース２Ｂとを備える。また、外装筐体２には、図１に示すように、後述するエアフィルター５を保護するとともに、外装の一部を構成するフィルターカバー６が設置されている。
【００３１】
〔光学ユニットの構成と動作〕
図２は、プロジェクター１の内部構造を模式的に示す図である。図２を参照して光学ユニット３の構成と動作を説明する。
【００３２】
光学ユニット３は、制御装置（図示省略）による制御に基づいて動作し、画像情報に応じて画像光を形成するものであり、外装筐体２の後面２ｆに沿って左側から右側に延出し、さらに前側に屈曲して延出する平面視略Ｌ字形状を有している。
【００３３】
光学ユニット３は、図２に示すように、光源ランプ３１１およびリフレクター３１２を有する光源装置３１と、レンズアレイ３２１，３２２、偏光変換素子３２３、および重畳レンズ３２４を有する照明光学装置３２とを備えている。また、光学ユニット３は、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４とを備えている。また、光学ユニット３は、光変調装置としての３つの液晶パネル３５１（赤色光用の液晶パネルを３５１Ｒ、緑色光用の液晶パネルを３５１Ｇ、青色光用の液晶パネルを３５１Ｂとする）、３つの入射側偏光板３５２、３つの射出側偏光板３５３、および色合成光学装置としてのクロスダイクロイックプリズム３５４を有する光学装置３５と、光学部品用筐体３６と、投写光学装置としての投写レンズ３７とを備えている。
【００３４】
光学ユニット３は、上述した構成により、光源装置３１から射出されて照明光学装置３２を介した光束を、色分離光学装置３３でＲ光、Ｇ光、Ｂ光の３つの色光に分離する。また、分離された各色光は、各液晶パネル３５１で画像情報に応じてそれぞれ変調され、色光毎の画像光として形成される。色光毎の画像光は、クロスダイクロイックプリズム３５４に入射して合成され、投写レンズ３７を介してスクリーン（図示略）に拡大投写される。なお、上述した各部材３１〜３７については、種々の一般的なプロジェクーの光学系として利用されているため、具体的な説明を省略する。
【００３５】
冷却装置４は、図２に示すように、投写レンズ３７に近接して配設された冷却ファン４１を有し、吸気孔２８（図３）から吸気側ダクト９（図４）を介して導入した空気を冷却対象（例えば、光源装置３１、光学装置３５、偏光変換素子３２３等）に送風して冷却する。
【００３６】
〔フィルターカバー周辺部の構成〕
図３は、外装筐体２の右面２ｄを拡大した斜視図である。図４は、図３の状態からエアフィルター５を取り外した状態を示す斜視図である。なお、図３は、エアフィルター５を交換可能とする交換位置にフィルターカバー６を回動させた状態を示している。図３、図４を参照してフィルターカバー６および周辺部の構成を説明する。
【００３７】
上ケース２Ａは、プロジェクター１の上面２ａ、前面２ｅ、左面２ｃおよび右面２ｄの一部、および後面２ｆの一部を構成する。上ケース２Ａにおいて、右面２ｄには、平面視Ｕ字状に切り欠かれた上側切欠部２３が形成されている。上側切欠部２３の外周部は、図３に示すように、外装筐体２内部に向けて段落ち形成され、フィルターカバー６が後述する保護位置に位置した際に、フィルターカバー６を構成する後述するカバー本体６１の裏面に当接する受部２３１が形成されている。
【００３８】
また、上側切欠部２３の両コーナー部となる上側の前側と後側とには、後述する第２係合突起部６７を挿通する孔部２３２が形成されている。また、上側切欠部２３の上側の内部には、後述する操作部７が設置されており、摘み部７２１が露出している。また、操作部７の下側には、後述するエアフィルター５が設置されている。
【００３９】
下ケース２Ｂは、プロジェクター１の下面２ｂ、左面２ｃおよび右面２ｄの一部、および後面２ｆの一部をそれぞれ構成する。下ケース２Ｂには、図１、図３に示すように、右面２ｄに、各ケース２Ａ，２Ｂを組み合わせた際に、上側切欠部２３に連続する下側切欠部２５が形成されている。下側切欠部２５の下側には、フィルターカバー６を回動自在に軸支する軸受部２７が２つ設けられている。なお、軸受部２７の詳細な構成については後述する。
【００４０】
各ケース２Ａ，２Ｂを組み合わせた状態では、上側切欠部２３、操作部７、下側切欠部２５に囲まれて、図３に示すように、平面視略矩形状の吸気孔２８が形成される。この吸気孔２８は、冷却装置４により外装筐体２外部の空気を内部に導入するための孔である。そして、吸気孔２８には、図３、図４に示すように、ダクトを構成する吸気側ダクト９が嵌め込まれている。
【００４１】
吸気側ダクト９は、吸気孔２８と略同一の大きさを有する平面視矩形状を有し、左右側に延びる筒体で構成されている。吸気側ダクト９は、冷却装置４と接続され、吸気孔２８から導入された空気を冷却装置４に導く。
【００４２】
図４は、図３の状態からエアフィルター５を取り外した状態を示す斜視図である。
吸気側ダクト９は、エアフィルター５（図３）を保持する機能も有する。吸気側ダクト９は、吸気孔２８に沿った略矩形状で開口部９１が形成され、内部に向けて段落ち形成された、エアフィルター５を受けて保持する保持部９２が形成されている。
【００４３】
開口部９１の下側の側面９１ａには、略中央部に、両持ちの片部９１１が形成され、片部９１１の中央部には、エアフィルター５を保持位置に係合して固定する突起部９１２が形成されている。また、開口部９１の上側の側面９１ｂで略中央部には、突起部９１２に対向して、片持ちの片部９１３が形成され、その片部９１３の先端部には、エアフィルター５を保持位置に係合して固定する突起部９１４が形成されている。
【００４４】
なお、両持ちの片部９１１は、弾性を有し、両基端部を支点として上下方向に屈曲可能に構成されている。また、突起部９１２は、上側に突出し、左右側に斜面を有して形成されている。片持ちの片部９１３も、弾性を有し、基端部を支点として上下方向に屈曲可能に構成されている。また、突起部９１４は、下側に突出し、左右側に斜面を有して形成されている。
【００４５】
開口部９１の下側の側面９１ａで片部９１１の両側には、内側（上側）に隆起する隆起部９１５が形成され、隆起部９１５の外面（下側）に、第１係合受部９３（図７）が構成されている。第１係合受部９３は、フィルターカバー６の第１係合突起部６５と係合する。第１係合受部９３および第１係合突起部６５の詳細な構成については後述する。
【００４６】
下側切欠部２５の下側には、フィルターカバー６を回動自在に軸支する軸受部２７が設置されている。なお、軸受部２７は、吸気側ダクト９の開口部９１（側面９１ａ）から外面側（下側）に延出する受け用リブ９１６（図７）を含めて構成されている。軸受部２７の詳細な構成については後述する。
【００４７】
〔エアフィルターの構成〕
図５は、エアフィルター５の構成を示す図であり、図５（ａ）は、エアフィルター５を表側（右側）から見た斜視図であり、図５（ｂ）は、エアフィルター５を裏側（左側）から見た斜視図である。図５を参照してエアフィルター５の構成を説明する。
【００４８】
エアフィルター５は、吸気孔２８から導入される空気に含まれる塵埃を捕捉する。エアフィルター５は、図５に示すように、フィルター本体５１とフィルター保持枠５２とを備える。フィルター本体５１は、２つで構成される。フィルター本体５１は、本実施形態では、不織布をプリーツ加工して構成され、空気を通過させながら空気に混入した塵埃を捕捉する。
【００４９】
フィルター保持枠５２は、略矩形の枠形状を有し、かつ筒状に形成されている。フィルター保持枠５２は、吸気側ダクト９の保持部９２に当接する当接部５２１と、枠内部に２つのフィルター本体５１を保持する保持部５２２と、エアフィルター５の交換の際に把持する把持部５２３とで構成されている。把持部５２３は、図５（ａ）に示すように、２つのフィルター本体５１を区切る保持部５２２の表側中央部で、右側に突出して形成されている。
【００５０】
利用者は、吸気側ダクト９からエアフィルター５を取り外す際には、図３に示す状態において、把持部５２３を把持し、吸気側ダクト９に対して吸気孔２８の開口面に略直交する方向（右方向）にエアフィルター５を引き抜く。この動作により、突起部９１２，９１４と、エアフィルター５の当接部５２１との係合が解除され、エアフィルター５を取り外すことができる。
【００５１】
また、利用者は、吸気側ダクト９にエアフィルター５を取り付ける際には、図４に示す状態において、把持したエアフィルター５の保持部５２２を、吸気側ダクト９の保持部９２の内面９２ａにあてがう。そして、吸気側ダクト９に対して吸気孔２８の開口面に略直交する方向（左方向）にエアフィルター５を挿入することにより、当接部５２１の裏面の外周部に突起部９１２，９１４の左側斜面が当接して、一方の片部９１１は下方向に屈曲し、他方の片部９１３は上方向に屈曲する。挿入を維持することにより、当接部５２１の裏面が吸気側ダクト９の保持部９２に当接し、当接部５２１の表面の外周部が突起部９１２，９１４の右側斜面と係合する。この動作により、エアフィルター５が吸気側ダクト９に保持（図３に示す状態）され、エアフィルター５を取り付けることができる。
【００５２】
フィルターカバー６は、図１に示すように、上側切欠部２３および下側切欠部２５に対応し、右面２ｄで側面視略Ｌ字形状を有する。そして、フィルターカバー６は、上述した軸受部２７に対して、エアフィルター５を保護するための保護位置（図１）、およびエアフィルター５を交換するための交換位置（図３）に回動自在に軸支される。なお、フィルターカバー６の詳細な構成については後述する。
【００５３】
〔フィルターカバーの構成〕
図６は、フィルターカバー６の構成を示す図であり、図６（ａ）は、保護位置の状態でフィルターカバー６の裏側（左側）を左上方向から見た斜視図であり、図６（ｂ）は、フィルターカバー６の裏側を左方向から見た平面図である。図７は、フィルターカバー６の軸部６２と第１係合突起部６５との周囲を示す拡大斜視図である。なお、図７は、詳細には、後側軸部６２１と後側の軸受部２７、後側の第１係合突起部６５と後側の第１係合受部９３、を拡大している。図６、図７を参照してフィルターカバー６の構成を説明する。
【００５４】
フィルターカバー６は、図６に示すように、カバー本体６１と軸部６２と第１係合突起部６５と第２係合突起部６７とを備えている。カバー本体６１は、側面視略Ｌ字形状を有し、エアフィルター５を保護する。カバー本体６１には、図６に示すように、吸気孔２８に対応した位置に、格子状のリブ６１１ａにより区切られた複数の開口部６１１が形成されている。また、カバー本体６１には、開口部６１１の上側端部の略中央部には、操作部７の一部（摘み部７２１）を外部に露出するための切欠部６１２が形成されている。
【００５５】
〔軸部の構成〕
軸部６２は、図６、図７に示すように、カバー本体６１の下側に設置されている。また、軸部６２（回動軸Ｘ１）は、外装筐体２が設置される設置面側（本実施形態では、机上面側）に設置されている。軸部６２は、カバー本体６１の下側の両端部に前側軸部６２５と後側軸部６２１との２つで構成されている。軸部６２は各軸受部２７に対して回動可能に軸支される。また、軸部６２は、カバー本体６１を、エアフィルター５を保護するための保護位置（図１で示す位置）と、エアフィルター５を交換するための交換位置（図３で示す位置）との間で回動可能としている。
【００５６】
後側に位置する後側軸部６２１は、図６、図７に示すように、カバー本体６１の後側端部６１ａと離間して下側に延出する接続部６２３を有し、接続部６２３の端部から後側に突出する軸６２２を有している。接続部６２３は、軸６２２に直交して延出する弾性を有する板形状に形成されている。この構成により、後側軸部６２１は、接続部６２３とカバー本体６１との接続部を支点として前後方向（回動軸Ｘ１方向）に屈曲可能に構成されている。
【００５７】
〔軸受部の構成〕
なお、後側軸部６２１を回動可能に軸支する後側の軸受部２７は、図７に示すように、下ケース２Ｂの下側切欠部２５に形成され、上側を開口する円形溝２７１と、円形溝２７１の上側に位置して、吸気側ダクト９の下側の側面９１ａから外側（下側）に突出する受け用リブ９１６とで構成されている。円形溝２７１は、軸６２２を案内し、受け用リブ９１６は、軸６２２の上側を受けることで、軸６２２が上側に移動することを防止する。
【００５８】
また、前側に位置する前側軸部６２５は、図６に示すように、カバー本体６１の前側端面６１ｂから前側に突出する軸６２６を有している。なお、前側軸部６２５を回動可能に軸支する前側の軸受部２７は、図示省略するが、上述した円形溝２７１と受け用リブ９１６と同様に構成されている。
【００５９】
軸６２２，６２６の回動軸Ｘ１は略一致しており、本実施形態では、回動軸Ｘ１は水平方向に設定されている。
【００６０】
軸部６２の軸受部２７への設置は、最初に、後側軸部６２１の接続部６２３を前側に変形させながら軸６２２を、後側の軸受部２７の円形溝２７１に挿入する。その後、前側軸部６２５の軸６２６を、後側軸部６２１の接続部６２３を前側に変形させながら前側の軸受部２７の円形溝に挿入する。この動作により、軸部６２が軸受部２７へ設置される。言い換えると、フィルターカバー６が外装筐体２に設置される。
【００６１】
〔第１係合突起部の構成〕
フィルターカバー６は、図６に示すように、第１係合突起部６５を備えている。第１係合突起部６５は、利用者により外部から操作されることで、後述する第１係合受部９３に係合し、フィルターカバー６が交換位置に回動した際、フィルターカバー６の回動を規制する。
【００６２】
第１係合突起部６５は、カバー本体６１の下側端部近傍の裏面で、かつ回動軸Ｘ１近傍に２つ設置されている。詳細には、第１係合突起部６５は、前側軸部６２５と後側軸部６２１との近傍に設置されている。
【００６３】
各第１係合突起部６５は、略同一の形状に形成されている。各第１係合突起部６５は、図６に示すように、カバー本体６１の下側端部の裏面から左側に突出する弾性を有する板状の片部６５２と、片部６５２の先端部から突出する第１突起部６５１とで形成されている。なお、前側の第１突起部６５１は、片部６５２に直交して後側に突出している。また、後側の第１突起部６５１は、片部６５２に直交して前側に突出している。従って２つの第１突起部６５１は互いに向き合う状態で突出している。また、各第１突起部６５１の左右側には傾斜面が形成されている。
【００６４】
〔第２係合突起部の構成〕
フィルターカバー６は、図６に示すように、第２係合突起部６７を備えている。第２係合突起部６７は、後述する操作部７に構成される第２係合受部７３に係合し、エアフィルター５を保護するための保護位置にフィルターカバー６を保持する部分である。
【００６５】
第２係合突起部６７は、カバー本体６１の上側端部近傍の裏面で、両コーナー部と中央部とに３つ設置されている。各第２係合突起部６７は、略同一の形状を有して構成されている。第２係合突起部６７は、裏面から左側に突出して板状に形成される第２突起部６７１と、第２突起部６７１を補強するための補強部６７４とを備えている。第２突起部６７１の先端部には、板状で前側に突出する凸部６７２が形成され、凸部６７２は、前側から後側に向うに従って、外装筐体２側に接近する方向に傾斜した傾斜面６７３を有している。
【００６６】
〔操作部の構成〕
図８は、操作部７の構成を示す図であり、図８（ａ）は、操作部７を表側（右側）から見た斜視図であり、図８（ｂ）は、操作部７を上下逆転して裏側（左側）から見た斜視図である。図９は、操作部７の外装筐体２（上ケース２Ａ）への組み立てを示す組立図である。図１０は、外装筐体２（上ケース２Ａ）へ操作部７を組み込んだ状態を示す斜視図である。なお、図９、図１０は、上ケース２Ａを上下逆転した状態で、内面側（左側）から見た状態を示している。また、図９、図１０は、下側から上側を見た状態を示している。図８〜図１０を参照して操作部７の構成を説明する。
【００６７】
操作部７は、外装筐体２（上ケース２Ａ）に形成される上側切欠部２３の上側端部の裏面に取り付けられ、利用者により外部から操作されることで、フィルターカバー６に構成される各第２係合突起部６７に係合する係合位置と、各第２係合突起部６７との係合が解除された非係合位置とに移動する。なお、操作部７の動作については、後述する。
【００６８】
操作部７は、図８に示すように、操作部本体７１と、操作受部７２と、第２係合受部７３とが一体化されて構成されている。操作部本体７１は、前後方向に延びる略箱型形状を有し、上側切欠部２３の上側端部の裏面に沿って設置される。
【００６９】
操作部本体７１には、操作部７を上ケース２Ａ（上側切欠部２３）に取り付けるための３つの取付用孔７１１が上下方向に貫通して形成されている。３つの取付用孔７１１は、前後方向に延びるトラック孔として構成されている。操作部７は、図９に示すように、各取付用孔７１１を介し、各ネジＳｃにより上ケース２Ａの各取付用ダボ２３３に取り付けられる。そして、操作部７は、各取付用ダボ２３３に取り付けられた状態で、前後方向に移動可能となる。
【００７０】
操作部本体７１には、中央に位置する取付用孔７１１の後側に、図８〜図１０に示すように、収納用凹部７１２が形成されている。収納用凹部７１２は、前後方向に延びて形成され、付勢部材としてのコイルバネ７５を収納する。
【００７１】
収納用凹部７１２にコイルバネ７５を収納し、操作部７を上ケース２Ａに取り付けた状態（図１０に示す状態）では、コイルバネ７５の一端が上ケース２Ａのバネ規制部２３４（図９）に当接し、他端が収納用凹部７１２の後側の側壁７１３（図８（ｂ））に当接する。これにより、上記の状態において、コイルバネ７５は、操作部７を後側（係合位置）に向けて付勢する。
【００７２】
操作受部７２は、利用者により外部から操作される部分である。操作受部７２は、図８（ａ）に示すように、操作部本体７１の表側中央部から右側に向けて突出する平面視矩形状を有して形成されている。操作受部７２の右側面には、図８（ａ）に示すように、右側に向けて突出し、操作部７を上ケース２Ａに取り付けた状態で、図１に示すように、フィルターカバー６の切欠部６１２から露出する摘み部７２１が設けられている。摘み部７２１は、フィルターカバー６の表側から利用者が操作する部分である。
【００７３】
〔第２係合受部の構成〕
第２係合受部７３は、フィルターカバー６の第２係合突起部６７に係合する部分である。第２係合受部７３は、図８に示すように、操作部本体７１の表側の両端部と中央部とに３つ設置されている。
【００７４】
各第２係合受部７３は、略同一の形状を有して構成されている。第２係合受部７３は、操作部本体７１の表側の両端部と中央部とに上下方向に板状に延出して形成される第２受部７３１を備えている。第２受部７３１の後側の先端部は、表側に向けて前後方向に傾斜する傾斜面７３２が形成されている。各傾斜面７３２は、フィルターカバー６が保護位置に向けて回動する際に、第２係合突起部６７の傾斜面６７３にそれぞれ当接する。
【００７５】
〔操作部の動作〕
図１１〜図１３は、操作部７の動作を示す図である。詳細には、図１１は、操作部７が係合位置に移動した状態を示す平断面図である。図１２は、操作部７が係合位置から非係合位置に移動する途中の状態を示す平断面図である。図１３は、操作部７が非係合位置に移動した後、付勢部材により係合位置に戻った状態を示す平断面図である。なお、図１１〜図１３は、操作部７の第２係合受部７３とフィルターカバー６の第２係合突起部６７との係合状態を示す図である。言い換えると、図１１は、第２係合受部７３と第２係合突起部６７とが係合する状態を示す図であり、図１２は、第２係合受部７３と第２係合突起部６７とが係合を解除する途中の状態を示す図であり、図１３は、第２係合受部７３と第２係合突起部６７とが係合を解除した後の状態を示す図である。また、図１１〜図１３は、第２係合突起部６７を基準に、水平面で切断した平断面図であり、上ケース２Ａ、操作部７、フィルターカバー６を上下逆転した状態で、下側から上側を見た状態を示している。図１１〜図１３を参照して操作部７の動作を説明する。
【００７６】
図１１（または図１）に示すように、フィルターカバー６が保護位置に位置している状態では、上述したようにコイルバネ７５の付勢力により、操作部７が係合位置に位置している。この状態では、各第２係合受部７３（第２受部７３１）が、各第２係合突起部６７（第２突起部６７１）の凸部６７２を内側（左側）に位置させ、各第２受部７３１と各第２突起部６７１とが係合した状態となる。第２受部７３１と第２突起部６７１との係合により、フィルターカバー６の交換位置への回動が規制される。なお、フィルターカバー６に設置される両端の２つの第２係合突起部６７（第２突起部６７１）は、上側切欠部２３の孔部２３２に挿通して第２係合受部７３（第２受部７３１）と係合する。
【００７７】
図１２に示すように、利用者は、エアフィルター５を交換するために、摘み部７２１を前側に移動させる。この移動の途中では、コイルバネ７５の付勢力に抗して操作部７が前側に移動することにより、各第２受部７３１が前側に移動し、各第２突起部６７１（凸部６７２）を乗り超える。この状態で、各第２受部７３１と各第２突起部６７１との係合が解除された状態となる。そして、利用者は、摘み部７２１から手を離す。
【００７８】
利用者が摘み部７２１から手を離した場合、図１３に示すように、操作部７は、コイルバネ７５の付勢力により、後側に移動して係合位置に戻る。利用者は、図１３に示すように、各第２受部７３１と各第２突起部６７１との係合が解除された状態のフィルターカバー６の上側を手で押えながら右側に力を加えることで、フィルターカバー６を回動させることができる。
【００７９】
〔第１係合受部の構成〕
図１４、図１５は、第１係合突起部６５と第１係合受部９３との動作を示す図である。詳細には、図１４は、第１係合突起部６５と第１係合受部９３との係合が解除されている状態を示す平断面図である。図１５は、第１係合突起部６５と第１係合受部９３とが係合されている状態を示す平断面図である。また、図１４、図１５は、第１係合受部９３を基準に、水平面で切断した平断面図であり、吸気側ダクト９およびフィルターカバー６を、上側から下側を見た状態を示している。図７、図１４、図１５を参照して第１係合受部９３の構成を説明する。
【００８０】
第１係合受部９３は、フィルターカバー６の第１係合突起部６５と係合することにより、フィルターカバー６が交換位置に回動した際、フィルターカバー６の回動を規制して、フィルターカバー６を保持するものである。第１係合受部９３は、吸気側ダクト９の下側の側面９１ａにおいて、２つの隆起部９１５の外面９１ｃにそれぞれ第１受部９３１を有して形成されている。
【００８１】
なお、隆起部９１５は、図７に示すように、側面９１ａの外面９１ｃは、内側（上側）に窪んでいる。各第１受部９３１は、この外面９１ｃから下側に、平面視矩形状に突出して形成されている。詳細には、前側の第１受部９３１は、回動軸Ｘ１近傍で、外面９１ｃの後側で開口部９１近傍に形成され、後側の第１受部９３１は、回動軸Ｘ１近傍で、外面９１ｃの前側で開口部９１近傍に形成されている。また、第１受部９３１は、第１突起部６５１にそれぞれ相対して設置されている。
【００８２】
〔第１係合受部、第１係合突起部の動作〕
図１４は、詳細には、第２係合突起部６７と第２係合受部７３との係合が解除され、利用者により、フィルターカバー６の上側を押えられながら右側に力を加えられることにより、フィルターカバー６が軸部６２を中心に交換位置の手前まで回転した状態の図を示している。この状態では、各第１係合突起部６５の第１突起部６５１が、第１係合受部９３の第１受部９３１の内側（左側）に位置している。
【００８３】
図１４で、破線で示す第１係合突起部６５は、フィルターカバー６が保護位置に係合されている状態での位置を示している。なお、第１係合受部９３（第１受部９３１）が形成される隆起部９１５の外面９１ｃの下側は、空間領域となっている。そのため、第１係合突起部６５は、保護位置から交換位置の手前までの間では、カバー本体６１の回転に従って自由に移動（軸部６２を中心とする回転）を行うことができる。
【００８４】
図１４に示すように、各第１係合突起部６５の第１突起部６５１が、第１係合受部９３の第１受部９３１の内側（左側）に位置した状態から、利用者により、更に右側に力を加えられた場合、図１５に示す状態となる。
【００８５】
図１５は、詳細には、フィルターカバー６が軸部６２を中心に交換位置の手前まで回転した状態（図１４）から、利用者により更に右側に力を加えられてフィルターカバー６が回動した状態の図を示している。また、図１５は、フィルターカバー６が交換位置に位置した状態を示している。
【００８６】
図１５に示すように、フィルターカバー６が交換位置の手前まで回転した状態から、利用者により更に右側に力を加えられた場合、第１突起部６５１が、第１受部９３１を乗り越えて外側（右側）に位置する。この状態では、フィルターカバー６は、保護位置への回動が規制される状態となり、その位置で保持される状態となる。
【００８７】
次に、フィルターカバー６を交換位置から保護位置に回動させる動作を説明する。
利用者は、フィルターカバー６を交換位置から保護位置に位置（回動）させる際には、摘み部７２１を操作することなく、フィルターカバー６の上方側を手で押えながらフィルターカバー６を保護位置に向けて回動させる。
【００８８】
交換位置から、フィルターカバー６の上方側を手で押えながら保護位置に向けて力を加えた場合、第１突起部６５１が、吸気側ダクト９の第１受部９３１を乗り越えて内側（左側）に位置する（図１４）状態となる。更に、フィルターカバー６を保護位置に向けて回動させた場合、第１突起部６５１は、隆起部９１５の外面９１ｃ下側の空間領域を移動する。
【００８９】
そして、更にフィルターカバー６を保護位置に向けて回動させる（フィルターカバー６を外装筐体２に押し付ける）と、各第２突起部６７１の傾斜面６７３が、操作部７の各第２受部７３１の傾斜面７３２に当接する。
【００９０】
この状態で、更にフィルターカバー６を保護位置に向けて回動させる（フィルターカバー６を外装筐体２に押し付ける）と、コイルバネ７５の付勢力に抗して第２突起部６７１の傾斜面６７３上を、第２受部７３１の傾斜面７３２が摺動しつつ、操作部７が前側に移動する（図１２）。
【００９１】
そして、操作部７が非係合位置に位置した際に、各第２突起部６７１（凸部６７２）が各第２受部７３１を乗り越え、コイルバネ７５の付勢力により、再度、操作部７が後側に移動して係合位置に位置する（図１１）。この一連の動作により、フィルターカバー６を保護位置に位置させることができる。
【００９２】
〔天吊り設置でのエアフィルター交換方法〕
図１６は、プロジェクター１を天吊り設置した状態を示す斜視図である。図１６を参照して、プロジェクター１を天吊り設置した場合のエアフィルター５の交換方法を説明する。
【００９３】
プロジェクター１を天吊り設置（天井面ＣＥに設置）する場合には、プロジェクター１の姿勢を上下逆転して設置することになる。具体的には、上ケース２Ａが下側となり、下ケース２Ｂが上側となる。天吊り設置状態のプロジェクター１に対してエアフィルター５を交換する場合においても、操作部７の操作、フィルターカバー６の操作、エアフィルター５の交換に関しては、上述した机上設置の場合と同様に、一連の操作を行うことになる。
【００９４】
天吊り設置の場合は、操作部７、フィルターカバー６、エアフィルター５も上下が逆転しているため、フィルターカバー６を交換位置に回転する場合、下側から上側に天井面ＣＥに向って回転させることになる。その結果、フィルターカバー６が交換位置に位置する状態では、フィルターカバー６の下側に、交換するエアフィルター５が位置する。
【００９５】
また、フィルターカバー６が交換位置に位置した状態では、上述したように、第１係合突起部６５と第１係合受部９３との係合により、フィルターカバー６は、保護位置への回動が規制される状態となり、その位置で保持される状態となる。このため、フィルターカバー６を交換位置に位置させた状態で、利用者がフィルターカバー６から手を離した場合にも、フィルターカバー６は下側に回転しない。そのため、利用者は、フィルターカバー６を交換位置に位置させた場合、フィルターカバー６から手を離し、その手でエアフィルター５の把持部５２３を把持して、エアフィルター５の交換作業を行うことができる。
【００９６】
また、エアフィルター５を交換した場合、エアフィルター５の把持部５２３から手を離し、その手で、フィルターカバー６を保持して若干の力を下側に加えることで、第１係合突起部６５と第１係合受部９３との係合を解除させて、フィルターカバー６を回動させ、フィルターカバー６を保護位置に位置させることができる。
【００９７】
上述した実施形態によれば、以下の効果が得られる。
本実施形態のプロジェクター１は、フィルターカバー６は、外装筐体２に対して保護位置から交換位置まで軸部６２を中心に回動させることができ、また、フィルターカバー６が交換位置に回動した際、利用者に操作されることで、フィルターカバー６は、吸気側ダクト９に対して、第１突起部６５１と第１受部９３１とが係合することで回動が規制される。これにより、フィルターカバー６を交換位置で保持させることができる。そのため、プロジェクター１を天吊り設置した場合、エアフィルター５を交換する際に、フィルターカバー６を支える必要がなくなる。そして、交換位置にフィルターカバー６を保持させることと、エアフィルター５を交換することを、片手で行うことができる。従って、プロジェクター１を天吊り設置した場合にも、エアフィルター５交換時のフィルターカバー６の操作性を向上させることができる。また、フィルターカバー６を交換位置で保持させることと、エアフィルター５の交換が片手で行えるため、交換作業の安全性を向上させることができる。また、プロジェクター１を机上設置した場合にも、フィルターカバー６を交換位置で保持させることができるため、何らかの外力によってフィルターカバー６が回動することを防止できることで、容易にエアフィルター５の交換作業を行うことができる。
【００９８】
本実施形態のプロジェクター１は、第１突起部６５１（第１係合突起部６５）と第１受部９３１（第１係合受部９３）とを軸部６２の回動軸Ｘ１近傍に相対して設置することにより、弱い力で確実に係合させることができる。また、第１突起部６５１と第１受部９３１とをコンパクトに構成することができる。また、第１突起部６５１と第１受部９３１とを目立たせること無く設置することができるため、プロジェクター１の外観への影響も抑え、美観を損なうことを防止することができる。
【００９９】
本実施形態のプロジェクター１において、軸部６２（軸６２２，６２６）の回動軸Ｘ１は略一致しており、回動軸Ｘ１は水平方向に設定されている。これにより、外装筐体２の側面（本実施形態では右面２ｄ）にエアフィルター５を設置した場合、回動軸を鉛直方向に設定する場合に比較して、エアフィルター５の交換時にフィルターカバー６を開けるために必要となる空間を少なくすることができる。従って、プロジェクター１を設置する際、フィルターカバー６の横に障害物があっても近づけて設置することができるため、プロジェクター１の設置の自由度を拡大することができる。また、プロジェクター１の薄型化を図ることができる。
【０１００】
本実施形態のプロジェクター１において、回動軸Ｘ１は外装筐体２が設置される設置面側に設置されている。これにより、プロジェクター１が机上設置や天吊り設置される場合において、エアフィルター５を交換する際、利用者がフィルターカバー６を交換位置に回動させた際に、利用者からは交換するエアフィルター５を視認することができる。そのため、交換位置に位置するフィルターカバー６が、エアフィルター５を交換する際の障害とはならない。従って、容易にエアフィルター５を交換することができる。
【０１０１】
本実施形態のプロジェクター１において、フィルターカバー６は第２係合突起部６７（第２突起部６７１）を備え、外装筐体２には、第２係合受部７３（第２受部７３１）を有する操作部７と付勢部材（コイルバネ７５）とが設置されている。この構成により、第２係合受部７３（第２受部７３１）と第２係合突起部６７（第２突起部６７１）とが係合することにより、フィルターカバー６の回動を規制することができる。また、コイルバネ７５により、操作部７を係合位置に向けて付勢することで、フィルターカバー６は、係合位置で確実に係合された状態となる。このため、フィルターカバー６は、エアフィルター５を保護するための保護位置で確実に固定される。また、外装筐体２に操作部７とコイルバネ７５とが設置されているので、フィルターカバー６に設置されている場合に比較して、フィルターカバー６を軽量化することができ、軽い力でフィルターカバー６を操作でき、操作部７の操作性を向上させることができる。
【０１０２】
本実施形態のプロジェクター１は、操作部７を操作して非係合位置となるように操作する場合、力が外装筐体２の方向に加わることになる。外装筐体２の方向はフィルターカバー６が保護位置から交換位置に回転する場合の方向とは逆方向となる。従って、従来のように、フィルターカバーに操作部とコイルバネとが設置されている場合には、力を外装筐体の方向に加えながら操作部を操作し、同時に、逆方向に回転させるためにフィルターカバーを押える動作を行わなければならない。しかし、本実施形態のプロジェクター１は、外装筐体２に操作部７とコイルバネ７５とが設置されているため、操作部７の操作とフィルターカバー６の操作を分離して行うことができるため、力の方向が逆方向であっても、容易にそれぞれの操作を行うことができ、操作性を向上させることができる。
（第２実施形態）
【０１０３】
〔押圧部の構成と動作〕
図１７は、第２実施形態に係る押圧部７７を示す平断面図であり、図１７（ａ）は押圧部７７の係合位置での状態を示す平断面図であり、図１７（ｂ）は、押圧部７７が係合位置から非係合位置に移動する途中の状態を示す平断面図であり、図１７（ｃ）は、押圧部７７が付勢部材により係合位置に戻った状態を示す平断面図である。なお、図１７は、押圧部７７の周囲を示しており、中央部に位置する第２係合突起部６７を基準に、水平面で切断した平断面図であり、上ケース２Ａ、操作部７、フィルターカバー６を上下逆転した状態で、下側から上側を見た状態を示している。図１７を参照して、押圧部７７の構成と動作を説明する。
【０１０４】
押圧部７７は、操作部７が非係合位置に移動した際にフィルターカバー６を押圧し、フィルターカバー６を保護位置から移動させる部分である。押圧部７７は、図１７に示すように、操作部７に設置されている。
【０１０５】
押圧部７７は、操作部７の中央部に設置される第２係合受部７３（第２受部７３１）の近傍で、操作部本体７１から略三角柱状に下側に突出して形成されている。押圧部７７には、第２受部７３１に相対する三角柱状の一面が押圧面７７１として形成されている。なお、本実施形態のプロジェクター１において、押圧部７７以外の構成は、第１実施形態と同様であり、同様の構成部には同様の符号を付記している。
【０１０６】
図１７（ａ）に示すように、第２係合受部７３と第２係合突起部６７とが係合する状態の場合には、押圧部７７の押圧面７７１と第２突起部６７１（凸部６７２）とは離間している。そして、利用者の操作により、操作部７が係合位置から移動した場合、押圧面７７１が第２突起部６７１（凸部６７２）の端部に当接する状態となる。
【０１０７】
そして、操作部７が更に移動した場合、押圧部７７の移動に従動して、第２突起部６７１（凸部６７２）の端部は、押圧面７７１に押圧されながら押圧面７７１を摺動し、右側（外側）に移動する。なお、図１７（ｂ）に示すように、第２突起部６７１（凸部６７２）は、第２係合受部７３と第２係合突起部６７とが係合を解除する状態においても、押圧面７７１に押圧されて右側（外側）に移動する。なお、操作部７が非係合位置に移動し、利用者が操作部７（摘み部７２１）から手を離した場合、操作部７は、図１７（ｃ）に示すように、コイルバネ７５により、元の位置（係合位置）に戻る。
【０１０８】
この押圧部７７の一連の動作により、操作部７が非係合位置に移動した場合には、第２係合突起部６７を有するフィルターカバー６は、押圧されて右側（外側）に移動する。言い換えると、フィルターカバー６は、操作部７が非係合位置に移動した際に、押圧部７７により押圧されて、保護位置から交換位置の方向に若干回動する（図１７（ｂ）、図１７（ｃ））。これにより、外装筐体２とフィルターカバー６との間に隙間ができる。なお、利用者は、この隙間を利用して、フィルターカバー６を把持して、上述したように交換位置まで回動させる。
【０１０９】
なお、第２突起部６７１が、操作部７が移動して係合が解除されるまでに、第２受部７３１と押圧部７７（押圧面７７１）との間に挟み込まれないように、それぞれの位置および形状を設定している。
【０１１０】
上述した実施形態によれば、第１実施形態と同様の効果を奏する他、以下の効果が得られる。
【０１１１】
本実施形態のプロジェクター１によれば、押圧部７７を備えることで、操作部７を非係合位置に移動させた場合、押圧部７７の動作により、フィルターカバー６が押圧されて、フィルターカバー６が保護位置から交換位置の方向に回動（移動）する。これにより、外装筐体２とフィルターカバー６との間に隙間ができるため、フィルターカバー６を把持し易くなり、回動させ易くなる。
【０１１２】
本実施形態のプロジェクター１によれば、押圧部７７を操作部７に設置しているため、別の新たな部材に設置する必要がなく、組み立てコストや部品コストを低減させることができる。また、押圧部７７が、突起により形成されるため、容易に押圧部７７を構成することができ、組み立てコストや部品コストを低減させることができる。
【０１１３】
なお、上述した実施形態に限定されず、その要旨を逸脱しない範囲において種々の変更や改良等を加えて実施することが可能である。変形例を以下に述べる。
【０１１４】
前記第１、第２実施形態のプロジェクター１において、軸部６２をフィルターカバー６に設け、軸受部２７を外装筐体２に設けているが、互いに逆の部材に設けもよい。また、第１係合突起部６５をフィルターカバー６に設け、第１係合受部９３をダクト（吸気側ダクト９）に設けているが、互いに逆の部材に設けもよい。また、第２係合突起部６７をフィルターカバー６に設け、第２係合受部７３を操作部７に設けているが、互いに逆の部材に設けもよい。
【０１１５】
前記第１、第２実施形態のプロジェクター１において、第１係合突起部６５をフィルターカバー６に設け、第１係合受部９３をダクト（吸気側ダクト９）に設けているが、第１係合突起部６５をフィルターカバー６に設け、第１係合受部を外装筐体２に設けてもよい。また、第１係合突起部を外装筐体２に設け、第１係合受部をフィルターカバー６に設けてもよい。また、第１係合突起部および第１係合受部のいずれかを、外装筐体２に設置する新たな部材に設けてもよい。
【０１１６】
前記第１、第２実施形態のプロジェクター１において、操作部７を係合位置に向けて付勢する付勢部材として、コイルバネ７５を採用しているが、これに限られず、ゴム等の弾性を有する部材や、板バネ等を採用してもよい。
【０１１７】
前記第１、第２実施形態のプロジェクター１において、第１突起部６５１と第１受部９３１は、軸部６２の回動軸Ｘ１近傍に設置している。しかし、これに限られず、第１突起部と第１受部は、軸部６２の回動軸Ｘ１近傍に設置せず、離れた部位に設置することでもよい。
【０１１８】
前記第１、第２実施形態のプロジェクター１において、軸部６２の回動軸Ｘ１は水平方向に設定されている。しかし、これに限られず、プロジェクターが、周りに障害物がない場所に設置される場合や、プロジェクターが薄型ではない場合や、プロジェクター内部での発熱量が少ない場合等には、軸部の回動軸を鉛直方向に設定してもよい。
【０１１９】
前記第２実施形態のプロジェクター１において、押圧部７７を操作部７に設けているが、外装筐体２やフィルターカバー６に設けてもよい。また、押圧部７７は突起（三角柱状の突起）で形成しているが、コイルバネや板バネ等で形成して、フィルターカバー６を右側に押圧する構成としてもよい。また、押圧部７７は、第２突起部６７１を押圧しているが、押圧する場所は限られず、他の部位を押圧してもよい。
【０１２０】
前記第１、第２実施形態のプロジェクター１は、赤色光、緑色光、青色光に対応する３つの液晶パネル３５１を用いる、いわゆる３板方式を採用している。しかし、これに限られず、単板方式の液晶パネルを採用してもよい。
【０１２１】
前記第１、第２実施形態のプロジェクター１は、光変調装置として、透過型の液晶パネル３５１を用いているが、反射型の液晶パネル等、反射型の光変調装置を用いることも可能である。また、一般に、入射する光束を画像情報に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【符号の説明】
【０１２２】
１…プロジェクター、２…外装筐体、５…エアフィルター、６…フィルターカバー、７…操作部、９…吸気側ダクト（ダクト）、２７…軸受部、２８…吸気孔、６２…軸部、６５…第１係合突起部、６７…第２係合突起部、７３…第２係合受部、７５…コイルバネ（付勢部材）、７７…押圧部、９３…第１係合受部、６５１…第１突起部、６７１…第２突起部、７３１…第２受部、９３１…第１受部、Ｘ１…回動軸。
【図１】
2014066782.tif 000003
【図２】
2014066782.tif 000004
【図３】
2014066782.tif 000005
【図４】
2014066782.tif 000006
【図５】
2014066782.tif 000007
【図６】
2014066782.tif 000008
【図７】
2014066782.tif 000009
【図８】
2014066782.tif 000010
【図９】
2014066782.tif 000011
【図１０】
2014066782.tif 000012
【図１１】
2014066782.tif 000013
【図１２】
2014066782.tif 000014
【図１３】
2014066782.tif 000015
【図１４】
2014066782.tif 000016
【図１５】
2014066782.tif 000017
【図１６】
2014066782.tif 000018
【図１７】
2014066782.tif 000019